(57)【要約】【課題】アイコンを配置するための領域が不足することを抑制可能な技術を提供することを目的とする。【解決手段】ナビゲーション装置１は、左座席の方向にて視認可能な左用画像と、右座席の方向にて視認可能な右用画像とを一つの画面上に表示可能なスプリットビュー表示部２を制御する。ナビゲーション装置１は、スプリットビュー表示部２に予め定められた形状のアイコンを表示する機能を備える。また、ナビゲーション装置１は、当該アイコンの当該予め定められた形状分割して得られる第１形状及び第２形状を、左用アイコンの形状、及び、右用アイコンの形状にそれぞれ適用する機能を備える。【選択図】図１
2015108987.tif 000002
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
前記表示部に予め定められた形状のアイコンを表示する機能と、
前記アイコンの前記予め定められた形状を分割して得られる第１形状及び第２形状を、アプリケーションを実行する際に操作される前記第１画像内の第１アイコンの形状、及び、アプリケーションを実行する際に操作される前記第２画像内の第２アイコンの形状にそれぞれ適用する機能と、
前記アイコンの表示領域と同じサイズの予め定められた領域の少なくとも一部と、前記第１アイコンの少なくとも一部及び前記第２アイコンの少なくとも一部のそれぞれとを重ねて配置する機能と
を備える、表示制御装置。
【請求項２】
請求項１に記載の表示制御装置であって、
前記第１方向及び前記第２方向は、それぞれ運転席側及び助手席側の方向であり、
前記第１アイコンの面積は、前記第２アイコンの面積よりも大きい、表示制御装置。
【請求項３】
請求項１または請求項２に記載の表示制御装置であって、
各前記第１アイコンの前記第１形状の重心は、前記第１方向側に偏在し、
各前記第２アイコンの前記第２形状の重心は、前記第２方向側に偏在する、表示制御装置。
【請求項４】
請求項１乃至請求項３のいずれかに記載の表示制御装置であって、
前記第１画像において前記第２アイコンに対応する第２領域が識別可能であり、
前記第２画像において前記第１アイコンに対応する第１領域が識別可能である、表示制御装置。
【請求項５】
請求項４に記載の表示制御装置であって、
アプリケーションの機能を実行するための前記第１画像に対する操作と、アプリケーションの機能を実行するための前記第２画像に対する操作とを一律に受け付ける入力部からの出力信号に基づき、前記第１アイコンを操作する直前の行為として予め定義された第１行為が実施されたまたは実施中であると判定された場合には、前記第２画像において前記第１領域を識別可能に表示させる制御部をさらに備える、表示制御装置。
【請求項６】
請求項５に記載の表示制御装置であって、
前記制御部は、
前記入力部からの出力信号に基づき、前記第２アイコンを操作する直前の行為として予め定義された第２行為が実施されたまたは実施中であると判定された場合には、前記第１画像において前記第２領域を識別可能に表示させる、表示制御装置。
【請求項７】
請求項１乃至請求項４のいずれかに記載の表示制御装置であって、
アプリケーションの機能を実行するための前記第１画像に対する操作と、アプリケーションの機能を実行するための前記第２画像に対する操作とを一律に受け付ける入力部における、前記第１アイコンに対する操作が実施されたか否かを判定するための第１感度領域と、前記入力部における、前記第２アイコンに対する操作が実施されたか否かを判定するための第２感度領域とを設定する制御部
をさらに備え、
前記第１アイコンの第１感度領域と表示領域とが異なり、
前記第２アイコンの第２感度領域と表示領域とが異なり、
前記予め定められた領域の少なくとも一部と、前記第１感度領域の少なくとも一部及び前記第２感度領域の少なくとも一部のそれぞれとを重ねて配置する、表示制御装置。
【請求項８】
請求項７に記載の表示制御装置であって、
前記第１方向及び前記第２方向は、それぞれ運転席側及び助手席側の方向であり、
前記第１感度領域の面積は、前記第２感度領域の面積よりも大きい、表示制御装置。
【請求項９】
請求項７または請求項８に記載の表示制御装置であって、
各前記第１感度領域の重心は、前記第１方向側に偏在し、
各前記第２感度領域の重心は、前記第２方向側に偏在する、表示制御装置。
【請求項１０】
請求項７乃至請求項９のいずれかに記載の表示制御装置であって、
前記第１画像において前記第１感度領域が識別可能であり、
前記第２画像において前記第２感度領域が識別可能である、表示制御装置。
【請求項１１】
請求項１０に記載の表示制御装置であって、
前記制御部は、
前記入力部からの出力信号に基づき、前記第１アイコンを操作する直前の行為として予め定義された第１行為が実施されたまたは実施中であると判定された場合には、前記第１画像において前記第１感度領域を識別可能に表示させる、表示制御装置。
【請求項１２】
請求項１０または請求項１１に記載の表示制御装置であって、
前記制御部は、
前記入力部からの出力信号に基づき、前記第２アイコンを操作する直前の行為として予め定義された第２行為が実施されたまたは実施中であると判定された場合には、前記第２画像において前記第２感度領域を識別可能に表示させる、表示制御装置。
【請求項１３】
請求項７乃至請求項１２のいずれかに記載の表示制御装置であって、
前記第１画像において前記第２感度領域が識別可能であり、
前記第２画像において前記第１感度領域が識別可能である、表示制御装置。
【請求項１４】
請求項１３に記載の表示制御装置であって、
前記制御部は、
前記入力部からの出力信号に基づき、前記第２アイコンを操作する直前の行為として予め定義された第２行為が実施されたまたは実施中であると判定された場合には、前記第１画像において前記第２感度領域を識別可能に表示させる、表示制御装置。
【請求項１５】
請求項１３または請求項１４に記載の表示制御装置であって、
前記制御部は、
前記入力部からの出力信号に基づき、前記第１アイコンを操作する直前の行為として予め定義された第１行為が実施されたまたは実施中であると判定された場合には、前記第２画像において前記第１感度領域を識別可能に表示させる、表示制御装置。
【請求項１６】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
前記表示部に予め定められた形状のアイコンを表示する工程と、
前記アイコンの前記予め定められた形状を分割して得られる第１形状及び第２形状を、アプリケーションを実行する際に操作される前記第１画像内の第１アイコンの形状、及び、アプリケーションを実行する際に操作される前記第２画像内の第２アイコンの形状にそれぞれ適用する工程と、
前記アイコンの表示領域と同じサイズの予め定められた領域の少なくとも一部と、前記第１アイコンの少なくとも一部及び前記第２アイコンの少なくとも一部のそれぞれとを重ねて配置する工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。
【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。
【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、アイコンを配置できる画面の領域は限られていることから、運転席側の方向に表示される画像内のアイコンと、助手席側の方向に表示される画像内のアイコンとを無作為に異なる位置に配置すると、アイコンを配置するための領域が不足してしまうという問題があった。
【０００７】
そこで、本発明は、上記のような問題点を鑑みてなされたものであり、アイコンを配置するための領域が不足することを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、表示部に予め定められた形状のアイコンを表示する機能と、アイコンの予め定められた形状を分割して得られる第１形状及び第２形状を、アプリケーションを実行する際に操作される第１画像内の第１アイコンの形状、及び、アプリケーションを実行する際に操作される第２画像内の第２アイコンの形状にそれぞれ適用する機能と、アイコンの表示領域と同じサイズの予め定められた領域の少なくとも一部と、第１アイコンの少なくとも一部及び第２アイコンの少なくとも一部のそれぞれとを重ねて配置する機能とを備える。
【発明の効果】
【０００９】
本発明によれば、表示部に表示されるアイコンの予め定められた形状を分割して得られる第１形状及び第２形状を、第１アイコンの形状及び第２アイコンの形状にそれぞれ適用する。これにより、アイコンを配置するための領域が不足することを抑制することができる。
【図面の簡単な説明】
【００１０】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】タッチパネルによる指示体の検出の一例を示す図である。
【図７】実施の形態１に係るナビゲーション装置の動作を示すフローチャートである。
【図８】実施の形態１に係るナビゲーション装置の左用画像及び右用画像の表示例を示す図である。
【図９】実施の形態１に係るナビゲーション装置の左用画像及び右用画像の表示例を示す図である。
【図１０】実施の形態１に係る左用アイコン及び右用アイコンの拡大図である。
【図１１】実施の形態１の変形例１に係る左用アイコン及び右用アイコンの拡大図である。
【図１２】実施の形態１の変形例１に係る左用アイコン及び右用アイコンの拡大図である。
【図１３】実施の形態１の変形例１に係る左用アイコン及び右用アイコンの拡大図である。
【図１４】実施の形態１の変形例１に係る左用アイコン及び右用アイコンの拡大図である。
【図１５】実施の形態１の変形例２に係るナビゲーション装置の左用画像及び右用画像の表示例を示す図である。
【図１６】実施の形態１の変形例３に係るナビゲーション装置の左用画像及び右用画像の表示例を示す図である。
【図１７】実施の形態２に係る左用アイコン及び右用アイコンの拡大図である。
【図１８】実施の形態２の変形例１に係る左用アイコン及び右用アイコンの拡大図である。
【図１９】実施の形態２の変形例１に係る左用アイコン及び右用アイコンの拡大図である。
【図２０】実施の形態２の変形例１に係る左用アイコン及び右用アイコンの拡大図である。
【図２１】実施の形態２の変形例１に係る左用アイコン及び右用アイコンの拡大図である。
【図２２】実施の形態２の変形例１に係る左用アイコン及び右用アイコンの拡大図である。
【図２３】実施の形態２の変形例２に係るナビゲーション装置の左用画像及び右用画像の表示例を示す図である。
【図２４】実施の形態２の変形例２に係る左用アイコン及び右用アイコンの拡大図である。
【図２５】実施の形態２の変形例２に係る左用アイコン及び右用アイコンの拡大図である。
【図２６】実施の形態２の変形例４に係るナビゲーション装置の左用画像及び右用画像の表示例を示す図である。
【図２７】実施の形態２の変形例６に係るナビゲーション装置の左用画像及び右用画像の表示例を示す図である。
【発明を実施するための形態】
【００１１】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１２】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１３】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１４】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１５】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１６】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１７】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１８】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００１９】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用アイコンの表示に用いられる第１画素２０１ａの数、及び、右用アイコンの表示に用いられる第２画素２０１ｂの数は、４つに限ったものではない。
【００２０】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２１】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２２】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２３】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２４】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２５】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。なお、左用アイコンの表示に用いられる画素２５１ｃの数、及び、右用アイコンの表示に用いられる画素２５１ｃの数は、３つに限ったものではない。
【００２６】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２７】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２８】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００２９】
図１に戻って、タッチパネル３の検出面は、スプリットビュー表示部２の画面に配設されている。タッチパネル３（入力部）は、アプリケーションの機能を実行するための左用画像に対する操作と、アプリケーションの機能を実行するための右用画像に対する操作とを一律に受け付ける。本実施の形態１では、タッチパネル３は、検出面をタッチした１以上の指などの指示体について、当該検出面上の二次元の位置を定期的に検出する。そして、タッチパネル３は、当該指示体の位置を示す信号を操作入力処理部９に出力する。
【００３０】
ただし、タッチパネル３は、（Ｘ，Ｙ）座標値のような二次元の位置を指示体の位置として検出するものに限ったものではない。例えば、タッチパネル３は、図６に示すように、指示体との距離が最短となる検出面上の点の位置（二次元の位置）と、指示体と検出面（当該点）との間の距離（別の一次元の位置であるＺ軸座標値）とを含む三次元の位置（Ｘ，Ｙ，Ｚ）を、指示体の位置として検出するものであってもよい。
【００３１】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３２】
スピーカ５（音声出力部）は、制御部１４から出力された音声信号に基づいて音声を出力する。
【００３３】
ＤＶＤプレーヤ６は、ＤＶＤに記録されたＡＶ（Audio-video）情報を再生し、当該ＡＶ情報を制御部１４に出力する。
【００３４】
エアコン７は、制御部１４の制御により、自車の室内の温度や湿度を調整する。
【００３５】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３６】
操作入力処理部９は、タッチパネル３の出力信号に基づいて、指示体によりタッチパネル３の検出面をタッチするタッチ操作が実施されたか否かを判定する。タッチ操作が実施されたと判定する際には、操作入力処理部９は、タッチパネル３の検出面がタッチされた点の数（検出面をタッチした指示体の数）も判定する。したがって、操作入力処理部９は、指示体によりタッチパネル３の検出面を１点でタッチする１点タッチ操作が実施されたか否か、指示体によりタッチパネル３の検出面を２点でタッチする２点タッチ操作が実施されたか否かなどを判定することが可能となっている。なお、ここでは、２点タッチ操作は、２つの指示体によりタッチパネル３の検出面を同時に２点でタッチする操作であるとして説明するが、これに限ったものではなく、例えば、予め定められた時間内に２回実施された１点タッチ操作を、２点タッチ操作として適用してもよい。
【００３７】
さらに、操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の位置を示す信号）とに基づいて、タッチパネル３、ひいてはスプリットビュー表示部２に表示されているアイコンなどに対してタッチ操作が実施されたか否かを判定する。ここでは、操作入力処理部９は、タッチパネル３の出力信号が示す指示体の位置が、左用アイコンの表示領域に重なる（当該指示体が、当該左用アイコンの内側に位置する）と判定した場合には、当該左用アイコンに対するタッチ操作が実施されたと判定する。操作入力処理部９は、左用アイコンに関する当該判定と同様の判定を右用アイコンについても行う。
【００３８】
操作入力処理部９は、以上のタッチ操作の判定結果などを制御部１４に出力する。以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００３９】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図９（ａ）及び図９（ｂ）に対応する画像）を、「アイコン配置画像」と記す。「アイコン配置画像」は、地図情報にアイコンを表示した画像も含む。
【００４０】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４１】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４２】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４３】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４４】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４５】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４６】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図９（ａ）に対応する画像）を「左用アイコン配置画像」と記す。なお、左用画像として表示されている左用アイコン配置画像内のアイコンは、上述の左用アイコンに対応する。
【００４７】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図９（ｂ）に対応する画像）を「右用アイコン配置画像」と記す。なお、右用画像として表示されている右用アイコン配置画像内のアイコンは、上述の右用アイコンに対応する。
【００４８】
また、制御部１４は、タッチパネル３における、左用アイコンに対する操作が実施されたか否かを判定するための第１感度領域（以下「左用感度領域」と記す）と、タッチパネル３における、右用アイコンに対する操作が実施されたか否かを判定するための第２感度領域（以下「右用感度領域」と記す）とを設定している。
【００４９】
本実施の形態１では、左用アイコンの左用感度領域と、当該左用アイコンの表示領域（以下「左用表示領域」と記す）とが同じであり、右用アイコンの右用感度領域と、当該右用アイコンの表示領域（以下「右用表示領域」と記す）とが同じである。このため、タッチ操作を行う指示体が左用表示領域と重なる場合には、当該指示体が左用感度領域と重なることなり、当該タッチ操作が左用アイコンに対して実施されたと操作入力処理部９によって判定されることになる。同様に、タッチ操作を行う指示体が右用表示領域と重なる場合には、当該指示体が右用感度領域と重なることなり、当該タッチ操作が右用アイコンに対して実施されたと操作入力処理部９によって判定されることになる。
【００５０】
＜動作＞
図７は、本実施の形態１に係るナビゲーション装置１の動作を示すフローチャートである。図７に示される動作はＣＰＵが記憶部１１に記憶されたプログラムを実行することによって行われる。以下、ナビゲーション装置１の動作について図７を用いて説明する。
【００５１】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５２】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５３】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５４】
図８（ａ）及び図８（ｂ）は、本実施の形態１に係るナビゲーション装置１（スプリットビュー表示部２）の左用画像及び右用画像の表示例を示す図である。図８（ａ）は左用画像の表示例であり、矩形（予め定められた形状）の左用アイコンＮＬ１，ＮＬ２，ＮＬ３が表示されている。図８（ｂ）は右用画像の表示例であり、矩形（予め定められた形状）の右用アイコンＮＲ１，ＮＲ２が表示されている。以下、左用アイコンＮＬ１，ＮＬ２，ＮＬ３及び右用アイコンＮＲ１，ＮＲ２を区別しない場合には「通常アイコン」と呼ぶ。本実施の形態１では、制御部１４が、左用アイコン配置画像及び右用アイコン配置画像を記憶部１１から取得し、これらをスプリットビュー表示部２に表示させることにより、図８（ａ）及び図８（ｂ）に示すような通常アイコンを表示することが可能となっている。以下、通常アイコンには、スプリットビュー表示部２の画面上において、表示領域が互いに重ならない左用アイコン及び右用アイコンが適用されているものとして説明する。
【００５５】
図９（ａ）及び図９（ｂ）は、本実施の形態１に係るナビゲーション装置１（スプリットビュー表示部２）の左用画像及び右用画像の別の表示例を示す図である。図９（ａ）は左用画像の表示例であり、左用アイコンＬ１，Ｌ２，Ｌ３，Ｌ４，Ｌ５（以下これらのアイコンをまとめて「左用アイコンＬ１〜Ｌ５」と記すこともある）が表示されている。図９（ｂ）は右用画像の表示例であり、右用アイコンＲ１，Ｒ２，Ｒ３，Ｒ４，Ｒ５（以下これらのアイコンをまとめて「右用アイコンＲ１〜Ｒ５」と記すこともある）が表示されている。本実施の形態１では、制御部１４が、左用アイコン配置画像及び右用アイコン配置画像を記憶部１１から取得し、これらをスプリットビュー表示部２に表示させることにより、左用アイコンＬ１〜Ｌ５及び右用アイコンＲ１〜Ｒ５を表示することが可能となっている。
【００５６】
本実施の形態１に係るナビゲーション装置１は、図８（ａ）及び図８（ｂ）に示される通常アイコンの矩形（予め定められた形状）を分割して得られる第１形状及び第２形状を、図９（ａ）及び図９（ｂ）に示される左用アイコンＬ１の形状及び右用アイコンＲ１の形状にそれぞれ適用する機能を備えている。
【００５７】
図１０（ａ）は、左用アイコンＬ１及び右用アイコンＲ１の拡大図である。実際には、左用アイコンＬ１と右用アイコンＲ１との両方をまとめて視認できないことが想定されるが、図１０（ａ）では、左用アイコンＬ１及び右用アイコンＲ１の両方を示している。このことは、左用アイコンＬ１及び右用アイコンＲ１を１つの図で示す図１１などにおいても同様である。
【００５８】
図１０（ｂ）は、横の長さがＸｎ、縦の長さがＹｎの矩形の通常アイコンＮ１が示されている。図１０（ａ）に示すように、通常アイコンＮ１を分割した左用アイコンＬ１及び右用アイコンＲ１のそれぞれは、横の長さがＸｎ、縦の長さがＹｎの直角三角形となる。すわなち、左用アイコンＬ１と右用アイコンＲ１とを合わせると、通常アイコンＮ１の形状に一致する。
【００５９】
このように、図１０（ａ）及び図１０（ｂ）に示される例では、通常アイコンＮ１の形状（表示領域の外縁形状）が矩形であり、当該矩形を分割して得られる直角三角形が、左用アイコンＬ１及び右用アイコンＲ１のそれぞれの形状（表示領域の外縁形状）に適用されている。そして、本実施の形態１に係るナビゲーション装置１は、通常アイコンＮ１の表示領域と同じサイズの予め定められた領域の少なくとも一部と、左用アイコンＬ１の少なくとも一部及び右用アイコンＲ１の少なくとも一部のそれぞれとを重ねて配置する機能を備えている。すなわち、通常アイコンＮ１のサイズが大きいほど、左用アイコンＬ１と右用アイコンＲ１とが離間可能な距離が長くなり、通常アイコンＮ１のサイズが小さいほど、左用アイコンＬ１と右用アイコンＲ１とが離間可能な距離が短くなるように、左用アイコンＬ１及び右用アイコンＲ１は配置される。
【００６０】
なお、左用アイコンＬ１の形状に、左側から右側に向かって先細りの直角三角形が適用された結果、左用アイコンＬ１の形状の重心は、左座席側（第１方向側）に偏在している。一方、右用アイコンＲ１の形状には、右側から左側に向かって先細りの直角三角形が適用された結果、右用アイコンＲ１の形状の重心は、右座席側（第２方向側）に偏在している。
【００６１】
本実施の形態１では、左用アイコンＬ２、Ｌ３，Ｌ４，Ｌ５及び右用アイコンＲ２、Ｒ３，Ｒ４，Ｒ５も、図１０に示される左用アイコンＬ１及び右用アイコンＲ１と同様に構成されている。ただし、もちろん表示される全ての左用アイコン及び右用アイコンが、図１０に示される左用アイコンＬ１及び右用アイコンＲ１と同様に構成されなくてもよい。このことは、図１１などを用いて説明される構成でも同様である。
【００６２】
図７のステップＳ４にて、操作入力処理部９は、操作（タッチ操作）が実施されたか否かを判定する。操作が実施されたと判定された場合にはステップＳ５に進み、操作が実施されなかったと判定された場合にはステップＳ４を再度行う。なお、ステップＳ４を再度行う際において、地図が左用画像または右用画像として表示されており、かつ、自車の位置が変化していた場合には、制御部１４は、当該変化に応じて当該地図をスクロールさせてもよい。
【００６３】
ステップＳ５にて、操作入力処理部９は、ステップＳ４の操作が左用アイコンＬ１〜Ｌ５に対する操作であったか、右用アイコンＲ１〜Ｒ５に対する操作であったか、または、これらのいずれでもなかったかを判断する。ステップＳ４の操作が左用アイコンＬ１〜Ｌ５に対する操作であると判定された場合にはステップＳ６に進み、ステップＳ４の操作が右用アイコンＲ１〜Ｒ５に対する操作であると判定された場合にはステップＳ７に進み、これらのいずれでもないと判断した場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ５以外のステップからステップＳ４に戻る際においても同様である。
【００６４】
ステップＳ５からステップＳ６に進んだ場合、ステップＳ６にて、制御部１４は、ステップＳ４の操作が実施された左用アイコンに予め対応付けられた機能を実行する。その後ステップＳ４に戻る。なお、当該左用アイコンに対して、アイコン配置画像が予め対応付けられて記憶部１１に記憶されている場合には、ステップＳ６からステップＳ３に戻って、当該アイコン配置画像がスプリットビュー表示部２に表示されてもよい。
【００６５】
ステップＳ５からステップＳ７に進んだ場合、ステップＳ７にて、制御部１４は、ステップＳ４の操作が実施された右用アイコンに予め対応付けられた機能を実行する。その後ステップＳ４に戻る。なお、当該右用アイコンに対して、アイコン配置画像が予め対応付けられて記憶部１１に記憶されている場合には、ステップＳ７からステップＳ３に戻って、当該アイコン配置画像がスプリットビュー表示部２に表示されてもよい。
【００６６】
＜効果＞
以上のような本実施の形態１に係るナビゲーション装置１によれば、通常アイコンの予め定められた形状を分割して得られる第１形状及び第２形状を、左用アイコンＬ１〜Ｌ５の形状及び右用アイコンＲ１〜Ｒ５の形状にそれぞれ適用する。これにより、例えば、スプリットビュー表示部２の画面上の領域のうちアイコンが配置される領域のサイズが、１つの通常アイコンのサイズ程度分しかない場合であっても、当該領域に左用アイコンＬ１及び右用アイコンＲ１の両方を配置することができる。よって、アイコン配置画像を生成する工程にて、アイコンを配置するための領域が不足することを抑制することができる。また、左用アイコンＬ１〜Ｌ５及び右用アイコンＲ１〜Ｒ５の形状は、通常アイコンの予め定められた形状と異なることになる。これにより、例えば左座席のユーザが、通常アイコンと形状が異なる左用アイコンＬ１を見ると、当該左用アイコンＬ１の近くには右用アイコンが存在することを予測して、当該左用アイコンＬ１への操作を注意して実施することが考えられる。この結果、知らないうちに右用アイコンＲ１を操作してしまうことが抑制されると考えられる。同様に、例えば右座席のユーザが、右用アイコンＲ１への操作を注意して実施することが考えられ、この結果、知らないうちに左用アイコンＬ１を操作してしまうことが抑制されると考えられる。
【００６７】
また、本実施の形態１によれば、左用アイコンＬ１の形状の重心は、左座席側（第１方向側）に偏在している。これにより、左用アイコンＬ１を左右方向の真ん中で左側部分と右側部分に区分した場合には、左側部分の面積が右側部分の面積よりも大きくなる。したがって、左用アイコンＬ１の面積が左座席のユーザ側において比較的大きくなっていることから、左座席のユーザは、左用アイコンＬ１に対する操作を容易に実施することができる。同様に、右用アイコンＲ１の形状の重心は右座席側（第２方向側）に偏在していることから、右座席のユーザは、右用アイコンＲ１に対する操作を容易に実施することができる。
【００６８】
＜実施の形態１の変形例１＞
実施の形態１では、図１０に示したように、左用アイコンＬ１と右用アイコンＲ１とを互いに接するように配置した。しかし、通常アイコンの予め定められた形状を分割して得られる第１形状及び第２形状が、左用アイコンの形状及び右用アイコンの形状にそれぞれ適用されるのであれば、これに限ったものではない。例えば、図１１（ａ）に示されるように、左用アイコンＬ１と右用アイコンＲ１との間に隙間（例えば通常アイコンよりもサイズが小さい隙間）を設けてもよい。ただし、図１１（ｃ）及び図１１（ｄ）に示されるように、ナビゲーション装置１の上述の機能により、通常アイコンＮ１の表示領域と同じサイズの予め定められた領域の少なくとも一部と、左用アイコンＬ１の少なくとも一部及び右用アイコンＲ１の少なくとも一部のそれぞれとは、重ねられて配置されるものとする。なお、図１１に示す例では、通常アイコンＮ１と左用アイコンＬ１とが重なっている領域と、通常アイコンＮ１と右用アイコンＲ１とが重なっている領域とは、スプリットビュー表示部２の画面上にて離間している。
【００６９】
ここで、左用アイコンＬ１と予め定められた領域とが重複する領域の面積は、左用アイコンＬ１の面積の１／２以上であることが好ましく、右用アイコンＲ１と予め定められた領域とが重複する領域の面積は、右用アイコンＲ１の面積の１／２以上であることが好ましい。
【００７０】
また、実施の形態１では、図１０に示したように、左用アイコンＬ１の面積と、右用アイコンＲ１の面積とは同じであったが、これに限ったものではない。例えば、図１１（ｄ）に示されるように、運転席側のアイコンである左用アイコンＬ１は縮小加工せずに、助手席側のアイコンである右用アイコンＲ１を縮小加工することによって、左用アイコンＬ１と右用アイコンＲ１との間に隙間を形成するとともに、左用アイコンＬ１の面積を、右用アイコンＲ１の面積よりも大きくしてもよい。この場合には、運転席側からの操作を優遇することができる。また、図１２に示すように、左用アイコンＬ１の直角三角形の斜辺部分を右用アイコンＲ１側に突出させ、右用アイコンＲ１の直角三角形の斜辺部分を左用アイコンＬ１と逆側に窪ませることによって、左用アイコンＬ１の面積を、右用アイコンＲ１の面積よりも大きくしてもよい。このような構成によれば、左座席のユーザ（ここでは運転者）は左用アイコンＬ１を比較的簡単に操作することができ、操作上の負担を抑制することができるので、運転者は運転に集中することが可能となる。
【００７１】
なお、図１１（ｄ）に示すように、左用アイコンＬ１の面積と右用アイコンＲ１の面積との和は、通常アイコンＮ１の面積より小さくてもよく、左用アイコンＬ１と右用アイコンＲ１との双方を縮小加工してもよい。
【００７２】
また、左用アイコンＬ１の面積を右用アイコンＲ１の面積よりも大きくする形状は、図１２に示した形状に限ったものではない。例えば、図１３に示すように、右用アイコンＲ１を矩形とし、左用アイコンＬ１を、当該矩形の隣り合う２辺と対向するＬ字形状としてもよい。また、例えば、図１４に示すように、通常アイコンの予め定められた形状が楕円形状である場合には、右用アイコンＲ１の形状を、楕円とし、左用アイコンＬ１の形状を、当該楕円を囲う環状としてもよい。
【００７３】
＜実施の形態１の変形例２＞
実施の形態１では、制御部１４は、左用画像内において、図９（ａ）に示す左用アイコンＬ１〜Ｌ５を表示させた。しかしこれに限ったものではなく、例えば、図１５（ａ）に示すように、制御部１４は、左用画像内において右用アイコンＲ１〜Ｒ５に対応する領域ＲＡ（図中の破線で示される領域）のそれぞれに、第１加工を施すことによって、当該領域ＲＡ（第２領域）を識別可能に表示させてもよい。なお、第１加工には、例えば領域ＲＡの元の画像の色もしくは明度などを変更する加工、右用アイコンの画像に置換する加工、または、当該置換された右用アイコンの画像の色もしくは明度を変更する加工などが適用される。このような構成によれば、左座席のユーザは、右座席のユーザのアプリケーションを実行してしまう領域を、操作前に知ることができる。
【００７４】
また、実施の形態１では、制御部１４は、左用画像内において、図９（ｂ）に示す右用アイコンＲ１〜Ｒ５を表示させた。しかしこれに限ったものではなく、例えば、図１５（ｂ）に示すように、制御部１４は、右用画像内において左用アイコンＬ１〜Ｌ５に対応する領域ＬＡ（図中の破線で示される領域）のそれぞれに、第２加工を施すことによって、当該領域ＬＡ（第１領域）を識別可能に表示させてもよい。なお、第２加工には、例えば領域ＬＡの元の画像の色もしくは明度などを変更する加工、左用アイコンの画像に置換する加工、または、当該置換された左用アイコンの画像の色もしくは明度を変更する加工などが適用される。このような構成によれば、右座席のユーザは、左座席のユーザのアプリケーションを実行してしまう領域を、操作前に知ることができる。
【００７５】
＜実施の形態１の変形例３＞
本変形例３に係るタッチパネル３は、ユーザ（運転者及び助手席の同乗者）の指２１などの指示体が検出面に近接した場合（図６）に、指示体との距離が最短となる検出面上の点の位置（Ｘ，Ｙ）と、指示体と検出面との間の距離Ｚとを、指示体の三次元の位置として検出する。距離Ｚ＝０である場合には、指２１がタッチパネル３の検出面に接触（タッチ）していることを意味する。
【００７６】
次に、本変形例３に係る操作入力処理部９について説明する。当該操作入力処理部９は、実施の形態１で説明した判定を行うだけでなく、タッチパネル３の出力信号（指示体の三次元の位置を示す信号）に基づいて、左用アイコンを操作する直前の行為として予め定義された第１行為が実施されたか否かを判定し、その判定結果を制御部１４に出力する。ここでは、操作入力処理部９は、左用アイコンが表示されている際に、タッチパネル３の出力信号が示す距離Ｚが０より大きくかつ予め定められた第１閾値ＺＬ（例えば３〜１０ｃｍ程度）以下になったと判定した場合に、左用アイコンを操作する直前の行為（第１行為）が実施されたと判定する。一方、そうでない場合には、操作入力処理部９は、左用アイコンを操作する直前の行為（第１行為）が実施されなかったと判定する。
【００７７】
同様に、操作入力処理部９は、タッチパネル３の出力信号（指示体の三次元の位置を示す信号）に基づいて、右用アイコンを操作する直前の行為として予め定義された第２行為が実施されたか否かを判定し、その判定結果を制御部１４に出力する。ここでは、操作入力処理部９は、右用アイコンが表示されている際に、タッチパネル３の出力信号が示す距離Ｚが０より大きくかつ予め定められた第２閾値ＺＲ（例えば３〜１０ｃｍ程度）以下になったと判定した場合に、右用アイコンを操作する直前の行為（第２行為）が実施されたと判定する。一方、そうでない場合には、操作入力処理部９は、右用アイコンを操作する直前の行為（第２行為）が実施されなかったと判定する。なお、第１閾値ＺＬ及び第２閾値ＺＲは、互いに異なる値であってもよいし、同じ値であってもよい。
【００７８】
以上の構成において、制御部１４は、上述の距離Ｚが０より大きくかつ予め定められた第１閾値ＺＬ以下になったと操作入力処理部９にて判定された場合に、変形例２で説明した図１５（ｂ）の右用画像における領域ＬＡ（第１領域）を識別可能に表示させてもよい。すなわち、制御部１４は、図９（ａ）及び図９（ｂ）をスプリットビュー表示部２に表示させている際に、左用アイコンを操作する直前の第１行為が実施されたと判定された場合には、右用画像にて、図１５（ｂ）に示した識別可能な領域ＬＡ（第１領域）を表示させてもよい。これにより、左用アイコンの機能を実行してしまう領域について、右座席のユーザに印象的な通知を行うことができる。
【００７９】
また、同様に、制御部１４は、上述の距離Ｚが０より大きくかつ予め定められた第２閾値ＺＲ以下になったと操作入力処理部９にて判定された場合に、変形例２で説明した図１５（ａ）の左用画像における領域ＲＡ（第２領域）を識別可能に表示させてもよい。すなわち、制御部１４は、図９（ａ）及び図９（ｂ）をスプリットビュー表示部２に表示させている際に、右用アイコンを操作する直前の第２行為が実施されたと判定された場合には、左用画像にて、図１５（ａ）に示した識別可能な領域ＲＡ（第２領域）を表示させてもよい。これにより、右用アイコンの機能を実行してしまう領域について、左座席のユーザに印象的な通知を行うことができる。
【００８０】
なお、変形例２で説明した領域ＲＡ（図１５（ａ））に対する第１加工は、距離Ｚに応じて変更してもよい。すなわち、制御部１４は、距離Ｚが小さくなるにつれて、図９（ａ）の左用画像、図１５（ａ）の左用画像をこの順でスプリットビュー表示部２に表示させた後、図１６（ａ）に示すような別の表示形態が適用された領域ＲＡを含む左用画像をスプリットビュー表示部２に表示させてもよい。同様に、変形例２で説明した領域ＬＡ（図１５（ｂ））に対する第２加工は、距離Ｚに応じて変更してもよい。すなわち、制御部１４は、距離Ｚが小さくなるにつれて、図９（ｂ）の右用画像、図１５（ｂ）の右用画像をこの順でスプリットビュー表示部２に表示させた後、図１６（ｂ）に示すような別の表示形態が適用された領域ＬＡを含む右用画像をスプリットビュー表示部２に表示させてもよい。
【００８１】
なお、第１閾値ＺＬ＜第２閾値ＺＲとすると、運転者側の左用画像において領域ＲＡを早めに表示することになる。これにより、運転席側にて操作するまでの時間を助手席側に比べて長く取ることができ、運転者に余裕を持たせることができることから、運転者側にとって使用勝手が良いものとなる。
【００８２】
また、制御部１４は、指示体と検出面との間の距離Ｚだけでなく、図６に示した指示体の二次元の位置（Ｘ，Ｙ）も考慮することによって、左用アイコンを操作する直前の行為が実施されたのか、右用アイコンを操作する直前の行為が実施されたのかを区別して判定してもよい。例えば、図６に示した指示体の位置（Ｘ，Ｙ，Ｚ）が、左用アイコンを覆うドーム状（半球状）の空間領域内に位置すると操作入力処理部９にて判定された場合には、制御部１４は、当該左用アイコンを操作する直前の第１行為が実施されたと判定してもよい。
【００８３】
また、制御部１４は、左用アイコンを操作する直前の第１行為が実施中であると判定された場合に、右用画像において上述の領域ＬＡ（図１５（ｂ））を表示させてもよい。ここで実施中であると判定される第１行為は、実施されたと判定された左用アイコンを操作する直前の第１行為から継続する行為であってもよいし、継続しない行為であってもよい。後者の行為としては、例えば、距離Ｚが第１閾値ＺＬ近傍である状況下で指示体が震えている場合などが考えられる。この場合、検出のタイミングによって判定結果がばらつかないようにするために、距離ＺにＬＰＦ（Low Pass Filter）信号処理補正を施してもよい。また、同様に、制御部１４は、右用アイコンを操作する直前の第２行為が実施中であると判定された場合に、左用画像において上述の領域ＲＡ（図１５（ａ））を表示させてもよい。
【００８４】
また、以上の説明では、制御部１４は、左用アイコンを操作する直前の第１行為が実施されたと判定された場合に、左用アイコンＬ１〜Ｌ５の全てに関して、識別可能な領域ＬＡ（図１５（ｂ））を右用画像に表示させた。しかしこれに限ったものではなく、制御部１４は、第１行為が実施されたと判定された場合に、左用アイコンＬ１〜Ｌ５の少なくともいずれか一つ（例えば指示体に最も近い一つの左用アイコン）に関して、識別可能な領域ＬＡを右用画像に表示させてもよい。同様に、制御部１４は、右用アイコンを操作する直前の第２行為が実施されたと判定された場合に、右用アイコンＲ１〜Ｒ５の少なくともいずれか一つ（例えば指示体に最も近い一つの右用アイコン）に関して、識別可能な領域ＲＡ（図１５（ａ））を左用画像に表示させてもよい。また、いずれか一つのアイコンに関して領域ＬＡ，ＲＡを表示するだけでなく、例えば（Ｘ，Ｙ）座標などの指示体の位置から予め定められた距離内、または、当該位置を含む予め定められた範囲内に位置する領域ＬＡ，ＲＡを表示するように構成してもよい。
【００８５】
＜実施の形態２＞
本発明の実施の形態２に係るナビゲーション装置１のブロック構成は、実施の形態１のブロック構成と同じであることから、その図示については省略する。そして、本実施の形態２に係るナビゲーション装置１において、実施の形態１で説明した構成要素と同一または類似するものについては同じ符号を付し、以下においては異なる点を中心に説明する。
【００８６】
実施の形態１では、左用アイコンの左用感度領域と当該左用アイコンの左用表示領域とが同じであり、右用アイコンの右用感度領域と当該右用アイコンの右用表示領域とが同じであった。これに対して、本実施の形態２では、左用アイコンの左用感度領域と当該左用アイコンの左用表示領域とが異なり、右用アイコンの右用感度領域と当該右用アイコンの右用表示領域とが異なっている。
【００８７】
図１７（ａ）及び図１７（ｂ）は、左用アイコンＬ１及び右用アイコンＲ１の拡大図である。図１７（ａ）の表示例では、左用アイコンＬ１について、スプリットビュー表示部２に表示される左用表示領域ＬＤ１が実線で示され、スプリットビュー表示部２に表示されない左用感度領域ＬＳ１が二点鎖線（想像線）で示されている。同様に、右用アイコンＲ１について、スプリットビュー表示部２に表示される右用表示領域ＲＤ１が実線で示され、スプリットビュー表示部２に表示されない右用感度領域ＲＳ１が二点鎖線（想像線）で示されている。
【００８８】
図１７（ａ）に示される左用アイコンＬ１の左用感度領域ＬＳ１と左用表示領域ＬＤ１とは異なり、図１７（ａ）に示される右用アイコンＲ１の右用感度領域ＲＳ１と右用表示領域ＲＤ１とは異なる。ただし、図１７（ｂ）に示されるように、通常アイコンＮ１の表示領域と同じサイズの予め定められた領域の少なくとも一部と、左用感度領域ＬＳ１の少なくとも一部及び右用感度領域ＲＳ１の少なくとも一部のそれぞれとが重ねられて配置される。
【００８９】
ここでは、その一例として、左用感度領域ＬＳ１の面積と左用表示領域ＬＤ１の面積とが異なり、右用感度領域ＲＳ１の面積と右用表示領域ＲＤ１の面積とが異なっている。具体的には、左用感度領域ＬＳ１の面積が、左用表示領域ＬＤ１の面積よりも大きく、右用感度領域ＲＳ１の面積が、右用表示領域ＲＤ１の面積よりも大きくなっている。
【００９０】
＜効果＞
このように構成された本実施の形態２に係るナビゲーション装置１によれば、左座席のユーザが、例えば左用アイコンＬ１に対して操作を行うつもりが、不注意により左用表示領域ＬＤ１の少し外側に対して操作を実施した場合であっても、意図せずに右用アイコンＲ１のアプリケーションを実行してしまうことを抑制することができる。特に、左用感度領域ＬＳ１の面積を、左用表示領域ＬＤ１の面積よりも大きくした上述の構成によれば、左座席のユーザが、不注意により左用アイコンＬ１の左用表示領域ＬＤ１の少し外側に対して操作を実施した場合であっても、意図していた左用アイコンＬ１のアプリケーションを実行することができる。なお、右座席のユーザに対しても、以上と同様の効果を得ることができる。
【００９１】
また、本実施の形態２によれば、左用感度領域ＬＳ１の形状の重心は、左座席側（第１方向側）に偏在している。したがって、左用感度領域ＬＳ１の面積が左座席のユーザ側において比較的大きくなっていることから、左座席のユーザは、左用アイコンＬ１に対する操作を容易に実施することができる。同様に、右用感度領域ＲＳ１の形状の重心は右座席側（第２方向側）に偏在していることから、右座席のユーザは、右用アイコンＲ１に対する操作を容易に実施することができる。
【００９２】
＜実施の形態２の変形例１＞
実施の形態２では、図１７に示したように、左用感度領域ＬＳ１の面積が、左用表示領域ＬＤ１の面積よりも大きくなるように構成されていた。しかし、左用感度領域ＬＳ１の面積と、左用表示領域ＬＤ１の面積とが異なるのであれば、これに限ったものではない。
【００９３】
例えば、図１８に示すように、左用感度領域ＬＳ１の面積が、左用表示領域ＬＤ１の面積よりも小さくなるように構成されてもよい。このような構成においても、上述と同様に、左座席のユーザが、意図せずに右用アイコンＲ１のアプリケーションを実行してしまうことを抑制することができる。同様に、例えば、図１８に示すように、右用感度領域ＲＳ１の面積が、右用表示領域ＲＤ１の面積よりも小さくなるように構成されてもよい。このような構成においても、上述と同様に、右座席のユーザが、意図せずに左用アイコンＬ１のアプリケーションを実行してしまうことを抑制することができる。
【００９４】
また、実施の形態２では、図１７に示したように、左用感度領域ＬＳ１の面積と、左用表示領域ＬＤ１の面積とが異なるように構成されていた。しかし、左用感度領域ＬＳ１と左用表示領域ＬＤ１とが異なるのであれば、これに限ったものではない。
【００９５】
例えば、図１９に示すように、左用感度領域ＬＳ１の面積と、左用表示領域ＬＤ１の面積とが同じであるが、左用感度領域ＬＳ１の位置と、左用表示領域ＬＤ１の位置とが異なるように構成されてもよい。例えば、右用アイコンＲ１（右用表示領域ＲＤ１）に対して、左用表示領域ＬＤ１よりも左用感度領域ＬＳ１が遠くなるように配置してもよい。このような構成においても、上述と同様の効果を得ることができる。
【００９６】
同様に、例えば、図１９に示すように、右用感度領域ＲＳ１の面積と、右用表示領域ＲＤ１の面積とが同じであるが、右用感度領域ＲＳ１の位置と、右用表示領域ＲＤ１の位置とが異なるように構成されてもよい。例えば、左用アイコンＬ１（左用表示領域ＬＤ１）に対して、右用表示領域ＲＤ１よりも右用感度領域ＲＳ１が遠くなるように配置してもよい。このような構成においても、上述と同様の効果を得ることができる。
【００９７】
また、実施の形態２では、図１７に示したように、左用感度領域ＬＳ１と右用感度領域ＲＳ１とを互いに接するように配置した。しかし、これに限ったものではなく、例えば、図２０に示すように、左用感度領域ＬＳ１と右用感度領域ＲＳ１との間に隙間（例えば通常アイコンよりもサイズが小さい隙間）を設けてもよい。ただし、図２０においても、通常アイコン（左用アイコンＬ１及び右用アイコンＲ１の分割元）の表示領域と同じサイズの予め定められた領域の少なくとも一部と、左用感度領域ＬＳ１の少なくとも一部及び右用感度領域ＲＳ１の少なくとも一部のそれぞれとが重ねられて配置されているものとする。
【００９８】
また、実施の形態２では、図１７に示したように、左用感度領域ＬＳ１、左用表示領域ＬＤ１、右用感度領域ＲＳ１及び右用表示領域ＲＤ１の形状に、直角三角形を適用した。しかし、これに限ったものではなく、例えば、図２１に示すように、左用感度領域ＬＳ１、左用表示領域ＬＤ１、右用感度領域ＲＳ１及び右用表示領域ＲＤ１の形状に、矩形を適用してもよい。
【００９９】
また、実施の形態２では、図１７に示したように、左用感度領域ＬＳ１の面積と、右用感度領域ＲＳ１の面積とは同じであったが、これに限ったものではない。例えば、図２２に示すように、左用感度領域ＬＳ１の直角三角形の斜辺部分を右用感度領域ＲＳ１側に突出させ、右用感度領域ＲＳ１の直角三角形の斜辺部分を左用感度領域ＬＳ１と逆側に窪ませることによって、左用感度領域ＬＳ１の面積を、右用感度領域ＲＳ１の面積よりも大きくしてもよい。このような構成によれば、左座席のユーザ（ここでは運転者）の操作上の負担を抑制することができるので、運転者は運転に集中することが可能となる。
【０１００】
なお、左用感度領域ＬＳ１の面積を右用感度領域ＲＳ１の面積よりも大きくするような形状は、図２２に示した形状に限ったものではない。例えば、図２２に示した左用感度領域ＬＳ１及び右用感度領域ＲＳ１の形状に、図１２に示した左用アイコンＬ１及び右用アイコンＲ１と同様の形状が適用されていることを鑑みて、左用感度領域ＬＳ１及び右用感度領域ＲＳ１の形状に、図１３及び図１４に示した左用アイコンＬ１及び右用アイコンＲ１と同様の形状が適用されてもよい。
【０１０１】
＜実施の形態２の変形例２＞
実施の形態２では、図１７にて二点鎖線（想像線）で示した左用感度領域ＬＳ１及び右用感度領域ＲＳ１は、スプリットビュー表示部２には表示されないものとして説明した。つまり、実施の形態２に係るスプリットビュー表示部２において表示される左用画像及び右用画像は、実施の形態１の左用画像及び右用画像（図９（ａ）及び図９（ｂ））と同様であった。しかし、左用画像及び右用画像の表示は、これに限ったものではない。
【０１０２】
例えば、図２３（ａ）に示すように、制御部１４は、左用画像内において左用感度領域ＬＳ１，ＬＳ２，ＬＳ３，ＬＳ４，ＬＳ５（図中の破線で示される領域、以下これらをまとめて「左用感度領域ＬＳ１〜ＬＳ５」と記すこともある）のそれぞれに、第３加工を施すことによって、当該左用感度領域ＬＳ１〜ＬＳ５を識別可能に表示させてもよい。なお、第３加工には、例えば左用感度領域ＬＳ１〜ＬＳ５の元の画像の色もしくは明度などを変更する加工などが適用される。このような構成によれば、左座席のユーザは、左座席のユーザのアプリケーションを実行することができる領域を、操作前に知ることができる。なお、図２３（ａ）に示される左用表示領域ＬＤ１，ＬＤ２，ＬＤ３，ＬＤ４，ＬＤ５は、図９（ａ）に示した左用アイコンＬ１〜Ｌ５の表示領域である。
【０１０３】
同様に、例えば、図２３（ｂ）に示すように、制御部１４は、右用画像内において右用感度領域ＲＳ１，ＲＳ２，ＲＳ３，ＲＳ４，ＲＳ５（図中の破線で示される領域、以下これらをまとめて「右用感度領域ＲＳ１〜ＲＳ５」と記すこともある）のそれぞれに、第４加工を施すことによって、当該右用感度領域ＲＳ１〜ＲＳ５を識別可能に表示させてもよい。なお、第４加工には、例えば右用感度領域ＲＳ１〜ＲＳ５の元の画像の色もしくは明度などを変更する加工などが適用される。このような構成によれば、右座席のユーザは、右座席のユーザのアプリケーションを実行することができる領域を、操作前に知ることができる。なお、図２３（ｂ）に示される右用表示領域ＲＤ１，ＲＤ２，ＲＤ３，ＲＤ４，ＲＤ５は、図９（ｂ）に示した右用アイコンＲ１〜Ｒ５の表示領域である。
【０１０４】
また、左用感度領域ＬＳ１〜ＬＳ５及び右用感度領域ＲＳ１〜ＲＳ５を識別可能に表示する方式としては、それらの色または明度などを変更する方式に限ったものではない。例えば、図２４に示すように、制御部１４は、左用感度領域ＬＳ１及び右用感度領域ＲＳ１などを立体図形で示すことによって、左用感度領域ＬＳ１及び右用感度領域ＲＳ１などを識別可能に表示させてもよい。また、例えば、図２５に示すように、制御部１４は、左用感度領域ＬＳ１及び右用感度領域ＲＳ１などに指のマークを付加することによって、左用感度領域ＬＳ１及び右用感度領域ＲＳ１などを識別可能に表示させてもよい。
【０１０５】
＜実施の形態２の変形例３＞
実施の形態１の変形例３では、制御部１４は、左用アイコンを操作する直前の第１行為が実施されたと判定された場合には、右用画像において識別可能な領域ＬＡを表示させ（図１５（ｂ））、右用アイコンを操作する直前の第２行為が実施されたと判定された場合には、左用画像において識別可能な領域ＲＡを表示させた（図１５（ａ））。これと同様の表示形式が、実施の形態２の変形例２で説明した左用感度領域ＬＳ１〜ＬＳ５及び右用感度領域ＲＳ１〜ＲＳ５の表示に適用されてもよい。
【０１０６】
具体的には、制御部１４は、上述の距離Ｚが０より大きくかつ予め定められた第１閾値ＺＬ以下になったと操作入力処理部９にて判定された場合に、図２３（ａ）の左用画像における左用感度領域ＬＳ１〜ＬＳ５（第１感度領域）を識別可能に表示させてもよい。すなわち、制御部１４は、図９（ａ）及び図９（ｂ）を表示させている際に、左用アイコンを操作する直前の第１行為が実施されたと判定された場合には、左用画像にて、図２３（ａ）に示した識別可能な左用感度領域ＬＳ１〜ＬＳ５（第１感度領域）を表示させてもよい。これにより、左座席のユーザのアプリケーションを実行することができる領域について、左座席のユーザに印象的な通知を行うことができる。
【０１０７】
同様に、制御部１４は、上述の距離Ｚが０より大きくかつ予め定められた第２閾値ＺＲ以下になったと操作入力処理部９にて判定された場合に、図２３（ｂ）の右用画像における右用感度領域ＲＳ１〜ＲＳ５（第２感度領域）を識別可能に表示させてもよい。すなわち、制御部１４は、図９（ａ）及び図９（ｂ）を表示させている際に、右用アイコンを操作する直前の第２行為が実施されたと判定された場合には、右用画像にて、図２３（ｂ）に示した識別可能な右用感度領域ＲＳ１〜ＲＳ５（第２感度領域）を表示させてもよい。これにより、右座席のユーザのアプリケーションを実行することができる領域について、右座席のユーザに印象的な通知を行うことができる。
【０１０８】
なお、第１閾値ＺＬ＞第２閾値ＺＲとすると、運転者側の左用画像において左用感度領域ＬＳ１〜ＬＳ５を早めに表示することになる。これにより、運転席側にて操作するまでの時間を助手席側に比べて長く取ることができ、運転者に余裕を持たせることができることから、運転者側にとって使用勝手が良いものとなる。
【０１０９】
なお、指示体と検出面との間の距離Ｚだけでなく、図６に示した指示体の二次元の位置（Ｘ，Ｙ）も考慮することによって、左用アイコンを操作する直前の行為が実施されたのか、右用アイコンを操作する直前の行為が実施されたのかを区別して判定してもよい。例えば、操作入力処理部９は、図６に示した指示体の位置（Ｘ，Ｙ，Ｚ）が、左用アイコンを覆うドーム状（半球状）の空間領域内に位置すると判定した場合には、当該左用アイコンを操作する直前の第１行為が実施されたと判定してもよい。
【０１１０】
また、制御部１４は、左用アイコンを操作する直前の第１行為が実施中であると判定された場合に、左用画像にて左用感度領域ＬＳ１〜ＬＳ５（図２３（ａ））を表示させてもよい。同様に、制御部１４は、右用アイコンを操作する直前の第２行為が実施中であると判定された場合に、右用画像にて右用感度領域ＲＳ１〜ＲＳ５（図２３（ｂ））を表示させてもよい。
【０１１１】
また、以上の説明では、制御部１４は、左用アイコンを操作する直前の第１行為が実施されたと判定された場合に、左用アイコンＬ１〜Ｌ５の全てに関して、識別可能な左用感度領域ＬＳ１〜ＬＳ５（図２３（ａ））を左用画像に表示させた。しかしこれに限ったものではなく、制御部１４は、第１行為が実施されたと判定された場合に、左用アイコンＬ１〜Ｌ５の少なくともいずれか一つ（例えば指示体に最も近い一つの左用アイコン）に関して、識別可能な左用感度領域ＬＳ１〜ＬＳ５を左用画像に表示させてもよい。同様に、制御部１４は、右用アイコンを操作する直前の第２行為が実施されたと判定された場合に、右用アイコンＲ１〜Ｒ５の少なくともいずれか一つ（例えば指示体に最も近い一つの右用アイコン）に関して、識別可能な右用感度領域ＲＳ１〜ＲＳ５（図２３（ｂ））を右用画像に表示させてもよい。また、いずれか一つのアイコンに関して左用感度領域ＬＳ１〜ＬＳ５，右用感度領域ＲＳ１〜ＲＳ５を表示するだけでなく、例えば（Ｘ，Ｙ）座標などの指示体の位置から予め定められた距離内、または、当該位置を含む予め定められた範囲内に位置する左用感度領域ＬＳ１〜ＬＳ５，右用感度領域ＲＳ１〜ＲＳ５を表示するように構成してもよい。
【０１１２】
＜実施の形態２の変形例４＞
実施の形態２の変形例２では、制御部１４は、左用画像内において左用感度領域ＬＳ１〜ＬＳ５を識別可能に表示させ、右用画像内において右用感度領域ＲＳ１〜ＲＳ５を識別可能に表示させた。
【０１１３】
しかしこれに限ったものではなく、例えば、図２６（ａ）に示すように、制御部１４は、左用画像内において右用感度領域ＲＳ１〜ＲＳ５（第２感度領域）を識別可能に表示させてもよい。このような構成によれば、左座席のユーザは、右座席のユーザのアプリケーションを実行してしまう領域を操作前に知ることができる。同様に、例えば、図２６（ｂ）に示すように、制御部１４は、右用画像内において左用感度領域ＬＳ１〜ＬＳ５（第１感度領域）を識別可能に表示させてもよい。このような構成によれば、右座席のユーザは、左座席のユーザのアプリケーションを実行してしまう領域を操作前に知ることができる。
【０１１４】
＜実施の形態２の変形例５＞
実施の形態２の変形例３と同様の表示形式が、実施の形態２の変形例４で説明した左用感度領域ＬＳ１〜ＬＳ５及び右用感度領域ＲＳ１〜ＲＳ５の表示に適用されてもよい。
【０１１５】
具体的には、制御部１４は、上述の距離Ｚが０より大きくかつ予め定められた第１閾値ＺＬ以下になったと操作入力処理部９にて判定された場合に、図２６（ｂ）の右用画像における左用感度領域ＬＳ１〜ＬＳ５（第１感度領域）を識別可能に表示させてもよい。すなわち、制御部１４は、図９（ａ）及び図９（ｂ）を表示させている際に、左用アイコンを操作する直前の第１行為が実施されたと判定された場合には、右用画像にて、図２６（ｂ）に示した識別可能な左用感度領域ＬＳ１〜ＬＳ５（第１感度領域）を表示させてもよい。これにより、左座席のユーザのアプリケーションを実行してしまう領域について、右座席のユーザに印象的な通知を行うことができる。
【０１１６】
同様に、制御部１４は、上述の距離Ｚが０より大きくかつ予め定められた第２閾値ＺＲ以下になったと操作入力処理部９にて判定された場合に、図２６（ａ）の左用画像における右用感度領域ＲＳ１〜ＲＳ５（第２感度領域）を識別可能に表示させてもよい。すなわち、制御部１４は、図９（ａ）及び図９（ｂ）を表示させている際に、右用アイコンを操作する直前の第２行為が実施されたと判定された場合には、左用画像にて、図２６（ａ）に示した識別可能な右用感度領域ＲＳ１〜ＲＳ５（第２感度領域）を表示させてもよい。これにより、右座席のユーザのアプリケーションを実行してしまう領域について、左座席のユーザに印象的な通知を行うことができる。
【０１１７】
なお、第１閾値ＺＬ＜第２閾値ＺＲとすると、運転者側の左用画像において右用感度領域ＲＳ１〜ＲＳ５を早めに表示することになる。これにより、運転席側にて操作するまでの時間を助手席側に比べて長く取ることができ、運転者に余裕を持たせることができることから、運転者側にとって使用勝手が良いものとなる。
【０１１８】
また、指示体と検出面との間の距離Ｚだけでなく、図６に示した指示体の二次元の位置（Ｘ，Ｙ）も考慮することによって、左用アイコンを操作する直前の行為が実施されたのか、右用アイコンを操作する直前の行為が実施されたのかを区別して判定してもよい。例えば、操作入力処理部９は、図６に示した指示体の位置（Ｘ，Ｙ，Ｚ）が、左用アイコンを覆うドーム状（半球状）の空間領域内に位置すると判定した場合には、当該左用アイコンを操作する直前の第１行為が実施されたと判定してもよい。
【０１１９】
また、制御部１４は、左用アイコンを操作する直前の第１行為が実施中であると判定された場合に、右用画像にて左用感度領域ＬＳ１〜ＬＳ５（図２６（ｂ））を表示させてもよい。同様に、制御部１４は、右用アイコンを操作する直前の第２行為が実施中であると判定された場合に、左用画像にて右用感度領域ＲＳ１〜ＲＳ５（図２６（ａ））を表示させてもよい。
【０１２０】
また、以上の説明では、制御部１４は、左用アイコンを操作する直前の第１行為が実施されたと判定された場合に、左用アイコンＬ１〜Ｌ５の全てに関して、識別可能な左用感度領域ＬＳ１〜ＬＳ５（図２６（ｂ））を右用画像に表示させた。しかしこれに限ったものではなく、制御部１４は、第１行為が実施されたと判定された場合に、左用アイコンＬ１〜Ｌ５の少なくともいずれか一つ（例えば指示体に最も近い一つの左用アイコン）に関して、識別可能な左用感度領域ＬＳ１〜ＬＳ５を右用画像に表示させてもよい。同様に、制御部１４は、右用アイコンを操作する直前の第２行為が実施されたと判定された場合に、右用アイコンＲ１〜Ｒ５の少なくともいずれか一つ（例えば指示体に最も近い一つの右用アイコン）に関して、識別可能な右用感度領域ＲＳ１〜ＲＳ５（図２６（ａ））を左用画像に表示させてもよい。また、いずれか一つのアイコンに関して左用感度領域ＬＳ１〜ＬＳ５，右用感度領域ＲＳ１〜ＲＳ５を表示するだけでなく、例えば（Ｘ，Ｙ）座標などの指示体の位置から予め定められた距離内、または、当該位置を含む予め定められた範囲内に位置する左用感度領域ＬＳ１〜ＬＳ５，右用感度領域ＲＳ１〜ＲＳ５を表示するように構成してもよい。
【０１２１】
＜実施の形態２の変形例６＞
制御部１４は、実施の形態２の変形例２と、実施の形態２の変形例４とを組み合わせた表示を、スプリットビュー表示部２に表示させてもよい。例えば、図２７（ａ）に示すように、制御部１４は、左用画像内において左用感度領域ＬＳ１〜ＬＳ５及び右用感度領域ＲＳ１〜ＲＳ５の両方を識別可能に表示させてもよい。同様に、例えば、図２７（ｂ）に示すように、制御部１４は、右用画像内において左用感度領域ＬＳ１〜ＬＳ５及び右用感度領域ＲＳ１〜ＲＳ５の両方を識別可能に表示させてもよい。
【０１２２】
また、実施の形態２の変形例３及び実施の形態２の変形例５と同様の表示形式が、本変形例６で説明した左用感度領域ＬＳ１〜ＬＳ５及び右用感度領域ＲＳ１〜ＲＳ５の表示に適用されてもよい。すなわち、制御部１４は、図９（ａ）及び図９（ｂ）を表示させている際に、左用アイコンを操作する直前の第１行為、及び、右用アイコンを操作する直前の第２行為が実施されたまたは実施中であると判定された場合には、図２７（ａ）及び図２７（ｂ）に示したように、左用画像内及び右用画像内の両方において、左用感度領域ＬＳ１〜ＬＳ５及び右用感度領域ＲＳ１〜ＲＳ５の両方を識別可能に表示させてもよい。
【０１２３】
また、制御部１４は、第１行為が実施されたと判定された場合に、左用アイコンＬ１〜Ｌ５の少なくともいずれか一つ（例えば指示体に最も近い一つの左用アイコン）に関して、識別可能な左用感度領域ＬＳ１〜ＬＳ５（図２７（ａ），図２７（ｂ））を左画像及び右用画像に表示させてもよい。同様に、制御部１４は、右用アイコンを操作する直前の第２行為が実施されたと判定された場合に、右用アイコンＲ１〜Ｒ５の少なくともいずれか一つ（例えば指示体に最も近い一つの左用アイコン）に関して、識別可能な右用感度領域ＲＳ１〜ＲＳ５（図２７（ａ），図２７（ｂ））を左用画像及び右用画像に表示させてもよい。また、いずれか一つのアイコンに関して左用感度領域ＬＳ１〜ＬＳ５，右用感度領域ＲＳ１〜ＲＳ５を表示するだけでなく、例えば（Ｘ，Ｙ）座標などの指示体の位置から予め定められた距離内、または、当該位置を含む予め定められた範囲内に位置する左用感度領域ＬＳ１〜ＬＳ５，右用感度領域ＲＳ１〜ＲＳ５を表示するように構成してもよい。
【０１２４】
＜実施の形態１及び２に関するその他の変形例＞
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１２５】
また、以上で説明したナビゲーション装置１では、記憶部１１から取得した左用アイコン配置画像及び右用アイコン配置画像におけるアイコンの配置などを変更せずに、スプリットビュー表示部２に表示した。しかしこれに限ったものではなく、制御部１４が、記憶部１１から取得した左用アイコン配置画像及び右用アイコン配置画像におけるアイコンの配置などを、実行するアプリケーションの機能、左右のアプリケーションの機能の組み合わせ、または、ユーザの設定等により適宜変更することによって、図４（ａ）及び図４（ｂ）などのような左用画像及び右用画像をスプリットビュー表示部２に表示してもよい。例えば、運転席を優先するようにアイコンの面積を変更してもよく、また、情報表示の緊急度が高いアプリケーションのアイコンを大きくするようにアイコンの面積を変更してもよい。
【０１２６】
また、以上の説明では、左用アイコン及び右用アイコンにタッチ操作が実施されたか否かが判定されるものであった。しかしこれに限ったものではなく、タッチ操作の代わりに、指示体によりタッチパネル３の検出面に予め定められた軌道を描くジェスチャー操作（例えばフリック操作、ドラッグ操作及びピンチ操作など）が実施されたか否か判定されるものであってもよい。
【０１２７】
さらに、スプリットビュー表示部２の画面上において互いに離間する左用アイコン及び右用アイコンに対して操作が実施されたと判定された場合には、制御部１４は、当該操作の種類に関わらず、当該実施されたアイコンの機能を実行してもよい。
【０１２８】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１２９】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１３０】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１３１】
なお、本発明は、その発明の範囲内において、各実施の形態及び各変形例を自由に組み合わせたり、各実施の形態及び各変形例を適宜、変形、省略したりすることが可能である。
【符号の説明】
【０１３２】
１  ナビゲーション装置、２  スプリットビュー表示部、３  タッチパネル、１４  制御部、２１  指、Ｌ１〜Ｌ５，ＮＬ１，ＮＬ２，ＮＬ３  左用アイコン、ＬＤ１〜ＬＤ５  左用表示領域、ＬＳ１〜ＬＳ５  左用感度領域、Ｒ１〜Ｒ５，ＮＲ１，ＮＲ２  右用アイコン、ＲＤ１〜ＲＤ５  右用表示領域、ＲＳ１〜ＲＳ５  右用感度領域。
【図１】
2015108987.tif 000003
【図２】
2015108987.tif 000004
【図３】
2015108987.tif 000005
【図４】
2015108987.tif 000006
【図５】
2015108987.tif 000007
【図６】
2015108987.tif 000008
【図７】
2015108987.tif 000009
【図８】
2015108987.tif 000010
【図９】
2015108987.tif 000011
【図１０】
2015108987.tif 000012
【図１１】
2015108987.tif 000013
【図１２】
2015108987.tif 000014
【図１３】
2015108987.tif 000015
【図１４】
2015108987.tif 000016
【図１５】
2015108987.tif 000017
【図１６】
2015108987.tif 000018
【図１７】
2015108987.tif 000019
【図１８】
2015108987.tif 000020
【図１９】
2015108987.tif 000021
【図２０】
2015108987.tif 000022
【図２１】
2015108987.tif 000023
【図２２】
2015108987.tif 000024
【図２３】
2015108987.tif 000025
【図２４】
2015108987.tif 000026
【図２５】
2015108987.tif 000027
【図２６】
2015108987.tif 000028
【図２７】
2015108987.tif 000029